(57)【要約】【課題】  メモリの効率性を高め、システムのコストを低めうるアナログとデジタルビデオモードを有する受信器及びその受信方法を提供する。【解決手段】  アナログビデオモードとデジタルビデオモードを有する受信器において、アナログビデオモードのＴＶチャネルまたはデジタルビデオモードのＴＶチャネルを示すモード選択信号により選択されたアナログビデオモード時Ｙ／Ｃ分離、画質改善のための後処理のため必要なフレームメモリを、デジタルビデオ復号化時に必要な大容量のメモリと共有する。【選択図】      図５
2004201339.tif 000002
【特許請求の範囲】
【請求項１】
所定のアナログ放送方式によりアナログ処理されたＴＶ信号を受信するためのアナログ映像モードと、所定のデジタル信号フォーマットによりデジタル処理されたＴＶ信号を受信するためのデジタル映像モードとを有する受信機であって、
受信されたアナログＴＶ信号を処理するための第一の信号処理手段と、
受信されたデジタルＴＶ信号をデコードするための第二の信号処理手段と、
前記デジタル映像モードの間に前記第二の信号処理手段で前記デジタルＴＶ信号をデコードするためにデータを記憶し、前記アナログ映像モードの間に前記第一の信号処理手段でデジタル化されたアナログＴＶ信号を処理するためにデータを記憶するための記憶装置と、
を備える受信機。
【請求項２】
前記第一の信号処理手段は、
受信されたアナログＴＶチャネル間でチャネルを選局し、選局されたチャネルの中間周波信号を出力するための第一のチューナと、
前記第一のチューナにより選局されたチャネルの前記中間周波信号を増幅して復調し、映像信号を出力するための第一のチャネル復調器と、
前記記憶装置に記憶されている隣接するピクチャとの相関と、前記記憶装置に記憶されている隣接するラインとの相関を使用して、前記第一のチャネル復調器から出力された前記映像信号から輝度信号と色度信号とを分離するための輝度／色度分離器と、
を備える請求項１記載の受信機。
【請求項３】
画質を向上するために、前記輝度信号を使用して前記映像信号を後処理するためのポストプロセッサをさらに備える、
請求項２記載の受信機。
【請求項４】
前記アナログ映像モードでは、前記記憶装置は、前記第一のチャネル復調器から出力されたデータをピクチャ単位で記憶するためのフレームメモリとして使用される、
請求項２記載の受信機。
【請求項５】
前記アナログ映像モードでは、前記記憶装置は、前記第一のチャネル復調器から出力されたデータをピクチャ単位で記憶し、前記ポストプロセッサから入力されたデータをピクチャ単位で記憶するためのフレームメモリとして使用される、
請求項３記載の受信機。
【請求項６】
前記第一の信号処理手段は、
受信されたアナログＴＶチャネル間でチャネルを選局し、中間周波信号を出力するための第一のチューナと、
前記第一のチューナにより選局されたチャネルの前記中間周波信号を増幅して復調し、映像信号を出力するための第一のチャネル復調器と、
前記第一のチャネル復調器から出力された前記映像信号と前記記憶装置に記憶されているデータとを使用して、後処理するためのポストプロセッサと、
を備える請求項１記載の受信機。
【請求項７】
前記アナログ映像モードでは、前記記憶装置は、前記第一のチャネル復調器から出力されたデータをピクチャ単位で記憶するためのフレームメモリとして使用される、
請求項６記載の受信機。
【請求項８】
前記第二の信号処理手段は、
受信されたデジタル信号フォーマットによりエンコードされたＴＶ信号間でチャネル信号を選局するための第二のチューナと、
前記第二のチューナから出力された前記チャネル信号をチャネルデコードするための第二のチャネル復調器と、
前記第二のチャネル復調器から出力されたチャネルデコード信号から映像データストリームを出力するためのシステムデコーダと、
前記映像データストリームから映像データを再構成するためのビデオデコーダと、
を備える請求項１記載の受信機。
【請求項９】
前記デジタル映像モードでは、前記記憶装置は、固定ビットレートである伝送レートを映像信号のデコード用の可変ビットレートに変換するためのチャネルバッファとして使用され、及び動き補償のためのフレームバッファとして使用される、
請求項８記載の受信機。
【請求項１０】
前記アナログ映像モードと前記デジタル映像モードのうちの１つを表すモード選択信号を発生するための発生手段と、
前記アナログ映像モードの間に、前記第一の信号処理手段で処理された信号を前記記憶装置に書き込むか、又は前記第一の信号処理手段で処理された信号を前記記憶装置から読み出すために前記モード選択信号に従って前記記憶装置を制御し、前記デジタル映像モードの間に、デジタルＴＶ信号を前記記憶装置に書き込むか、又は前記デジタルＴＶ信号を前記記憶装置から読み出すために前記モード選択信号に従って前記記憶装置を制御するためのメモリコントローラと、
をさらに備える請求項１記載の受信機。
【請求項１１】
前記メモリコントローラは、前記モード選択信号に従って前記第一の信号処理手段と前記第二の信号処理手段からの出力のうちの１つを選択して前記記憶装置に書き込み、前記記憶装置に記憶されているデータを選択された信号処理手段に供給するためのスイッチ手段を含む、
請求項１０記載の受信機。
【請求項１２】
前記スイッチ手段は、少なくとも１つのマルチプレクサを含む、
請求項１１記載の受信機。
【請求項１３】
前記モード選択信号に従って前記第一の信号処理手段と前記第二の信号処理手段からの出力信号のうちの１つを選択するためのスイッチ手段と、
前記スイッチ手段により選択された信号をディスプレイで表示するためのディスプレイ制御手段と、
をさらに備える請求項１０記載の受信機。
【請求項１４】
前記メモリコントローラは、マイクロプロセッサから構成される、
請求項１０記載の受信機。
【請求項１５】
前記第一の信号処理手段は、
受信されたアナログＴＶチャネル間でチャネルを選局するための第一のチューナと、
前記第一のチューナにより選局されたチャネル信号を復調して、映像信号を出力するための第一のチャネル復調器と、
前記第一のチャネル復調器により復調された前記映像信号をデジタル化されたアナログＴＶ信号に変換するためのアナログ−デジタル変換器と、
を備える請求項１４記載の受信機。
【請求項１６】
前記第二の信号処理手段は、
前記デジタル信号フォーマットによりエンコードされた受信されたＴＶ信号間でチャネル信号を選択するための第二のチューナと、
前記第二のチューナから出力されたチャネル信号をチャネルデコードするための第二のチャネル復調器と、
を備える請求項１５記載の受信機。
【請求項１７】
前記第一の信号処理手段、前記第二の信号処理手段及び前記記憶装置のそれぞれは、少なくとも１つのデータラインとクロックラインとを含む共通バスラインに接続される、
請求項１記載の受信機。
【請求項１８】
前記共通バスラインに接続され、前記アナログ映像モードと前記デジタル映像モードのうちの１つを表すモード選択データを発生するための制御手段をさらに備える、
請求項１７記載の受信機。
【請求項１９】
前記マイクロプロセッサは、前記アナログ映像モードでは、前記アナログ−デジタル変換器から出力された前記デジタル化されたアナログＴＶ信号の後処理を実行し、前記デジタル映像モードでは、前記第二のチャネル復調器から出力された前記チャネルデコードされたデジタルＴＶ信号のシステムデコードを実行して、映像データストリームを抽出する、
請求項１６記載の受信機。
【請求項２０】
前記マイクロプロセッサにより処理された信号をディスプレイで表示するためのディスプレイ制御手段をさらに備える、
請求項１６記載の受信機。
【請求項２１】
前記第二のチャネル復調器から出力された前記チャネルデコードされたデジタルＴＶ信号から映像データストリームを抽出するためのシステムデコーダをさらに備える、
請求項１６記載の受信機。
【請求項２２】
前記マイクロプロセッサは、前記アナログ映像モードでは、前記アナログ−デジタル変換器から出力された前記デジタル化されたアナログＴＶ信号の輝度／色度分離を実行し、前記デジタル映像モードでは、前記システムデコーダから出力された前記映像データストリームから前記チャネルデコードされたデジタルＴＶ信号を再構成する、
請求項２１記載の受信機。
【請求項２３】
前記マイクロプロセッサは、前記輝度信号を使用して後処理を実行する、
請求項２２記載の受信機。
【請求項２４】
前記マイクロプロセッサは、前記アナログ映像モードでは、前記アナログ−デジタル変換器から出力された前記デジタル化されたアナログＴＶ信号を後処理し、前記デジタル映像モードでは、前記システムデコーダから出力された前記チャネルデコードされたデジタルＴＶ信号を再構成する、
請求項２２記載の受信機。
【請求項２５】
前記マイクロプロセッサは、前記チャネルデコードされたデジタルＴＶ信号を多重化し、前記システムデコーダから出力された前記映像データストリームからデジタル映像信号を再構成する、
請求項２４記載の受信機。
【請求項２６】
前記再構成されたデジタル映像信号をアナログ信号に変換するデジタル−アナログ変換器をさらに備える、
請求項２５記載の受信機。
【請求項２７】
前記システムデコーダから出力された前記再構成されたデジタルＴＶ信号と前記マイクロプロセッサから出力された処理されたアナログＴＶ信号のうちの１つを選択するためのスイッチ手段と、
前記スイッチ手段により選択された信号をディスプレイに表示するためのディスプレイ制御手段と、
をさらに備える請求項２５記載の受信機。
【請求項２８】
前記デジタル化されたアナログＴＶ信号を受信して記憶し、記憶装置から読み出されたデータを処理して、処理されたアナログＴＶ信号を出力するためのアナログ処理手段と、
前記システムデコーダから出力された前記再構成されたデジタルＴＶ信号と、前記アナログ処理手段から出力された前記処理されたアナログＴＶ信号のうちの１つを選択するためのスイッチ手段と、
前記スイッチ手段により選択された信号をディスプレイで表示するためのディスプレイ制御手段と、
をさらに備える請求項２５記載の受信機。
【請求項２９】
前記アナログ処理手段は、前記デジタル化されたアナログＴＶ信号の輝度／色度分離を実行する、
請求項２８記載の受信機。
【請求項３０】
前記アナログ処理手段は、前記デジタル化されたアナログＴＶ信号の後処理を実行する、
請求項２８記載の受信機。
【請求項３１】
前記アナログ処理手段は、前記デジタル化されたアナログＴＶ信号の輝度／色度分離と後処理を実行する、
請求項２８記載の受信機。
【請求項３２】
前記マイクロプロセッサは、前記アナログ映像モードでは、前記アナログ−デジタル変換器から出力された前記デジタル化されたアナログＴＶ信号を分離するための輝度／色度分離を実行し、前記デジタル映像モードでは、システムデコードを実行して、第二のチャネル復調器から出力された前記チャネルデコードされたデジタルＴＶ信号から映像データストリームを抽出する、
請求項１６記載の受信機。
【請求項３３】
前記マイクロプロセッサから出力された前記映像データストリームからデジタル映像信号を再構成するためのビデオデコーダをさらに備える、
請求項３２記載の受信機。
【請求項３４】
前記マイクロプロセッサは、前記アナログ映像モードでは、前記アナログ−デジタル変換器から出力された前記デジタル化されたアナログＴＶ信号の輝度／色度分離を実行し、前記デジタル映像モードでは、前記第二のチャネル復調器から出力された前記チャネルデコードされたデジタルＴＶ信号から映像データストリームを抽出して、該抽出された映像データストリームからデジタル映像信号を再構成する、
請求項１６記載の受信機。
【請求項３５】
前記マイクロプロセッサは、前記アナログ映像モードでは、前記アナログ−デジタル変換器から出力された前記デジタル化されたアナログＴＶ信号の後処理を実行し、前記デジタル映像モードでは、前記第二のチャネル復調器から出力された前記チャネルデコードされたデジタルＴＶ信号をシステムデコードして、映像データストリームを抽出し、該抽出された映像データストリームからデジタル映像信号を再構成する、
請求項３３記載の受信機。
【請求項３６】
前記ビデオデコーダから出力された前記再構成されたデジタルＴＶ信号と前記マイクロプロセッサから出力された処理されたアナログＴＶ信号のうちの１つを選択するためのスイッチ手段と、
前記スイッチ手段により選択された信号をディスプレイで表示するためのディスプレイ制御手段と、
をさらに備える請求項３３記載の受信機。
【請求項３７】
前記ディスプレイ制御手段は、前記スイッチ手段で選択された信号をアナログ信号に変換する、
請求項３６記載の受信機。
【請求項３８】
前記再構成されたデジタル映像信号をアナログ映像信号に変換するためのデジタル−アナログ変換器をさらに備える、
請求項３６記載の受信機。
【請求項３９】
前記ディスプレイ制御手段は、前記信号をアナログ信号に変換する、
請求項３６記載の受信機。
【請求項４０】
前記デジタル化されたアナログＴＶ信号を受信して、前記マイクロプロセッサを介して前記デジタル化されたアナログＴＶ信号を記憶装置に記憶し、前記記憶装置から読み出されたデータを処理して、処理されたアナログＴＶ信号を出力するためのアナログ処理手段と、
前記ビデオデコーダから出力された前記再構成されたデジタルＴＶ信号と、前記アナログ処理手段から出力された前記処理されたアナログＴＶ信号とのうちの１つを選択するためのスイッチ手段と、
前記スイッチ手段により選択された信号をディスプレイで表示するためのディスプレイ制御手段と、
をさらに備える請求項３３記載の受信機。
【請求項４１】
前記アナログ処理手段は、前記デジタル化されたアナログＴＶ信号の輝度／色度分離を実行する、
請求項４０記載の受信機。
【請求項４２】
前記アナログ処理手段は、前記デジタル化されたアナログＴＶ信号の後処理を実行する、
請求項４０記載の受信機。
【請求項４３】
前記アナログ処理手段は、前記デジタル化されたアナログＴＶ信号の輝度／色度分離と後処理を実行する、
請求項４０記載の受信機。
【請求項４４】
前記第二のチャネル復調器から出力された前記チャネルデコードされたデジタルＴＶ信号から映像データストリームを抽出して、該抽出された映像データストリームからデジタル映像信号を再構成するためのシステム及びビデオデコーダをさらに備える、
請求項１６記載の受信機。
【請求項４５】
前記マイクロプロセッサは、前記アナログ映像モードでは、前記アナログ−デジタル変換器から出力された前記デジタル化されたアナログＴＶ信号の輝度／色度分離を実行し、前記デジタル映像モードでは、システムデコード及び映像信号のデコード用の前記記憶装置に前記デジタルＴＶ信号を書き込むか、又は前記デジタルＴＶ信号を前記記憶装置から読み出す、
請求項４４記載の受信機。
【請求項４６】
前記マイクロプロセッサは、前記アナログ映像モードでは、前記アナログ−デジタル変換器から出力された前記デジタル化されたアナログＴＶ信号の後処理を実行し、前記デジタル映像モードでは、システムデコード及び映像信号のデコード用の前記記憶装置に前記チャネルデコードされたデジタルＴＶ信号を書き込むか、前記チャネルデコードされたデジタルＴＶ信号を前記記憶装置から読み出す、
請求項４４記載の受信機。
【請求項４７】
前記システム及びビデオデコーダから出力された前記再構成されたデジタルＴＶ信号と、前記マイクロプロセッサから出力された処理されたアナログＴＶ信号のうちの１つを選択するためのスイッチ手段と、
前記スイッチ手段により選択された信号をディスプレイで表示するためのディスプレイ制御手段と、
をさらに備える請求項４４記載の受信機。
【請求項４８】
前記システム及びビデオデコーダから出力された前記再構成されたデジタル映像信号を前記デジタル化されたアナログＴＶ信号に変換して、該変換されたアナログ信号を前記スイッチ手段に供給する第二のデジタル処理手段をさらに備える、
請求項４７記載の受信機。
【請求項４９】
前記ディスプレイ制御手段は、前記信号をアナログ信号に変換する、
請求項４７記載の受信機。
【請求項５０】
前記デジタル化されたアナログＴＶ信号を受信して記憶し、記憶装置から読み出されたデータを処理して、処理されたアナログＴＶ信号を出力するためのアナログ処理手段と、
前記システム及びビデオデコーダから出力された前記再構成されたデジタルＴＶ信号と、前記アナログ処理手段から出力された前記処理されたアナログＴＶ信号のうちの１つを選択するためのスイッチ手段と、
前記スイッチ手段により選択された信号をディスプレイで表示するためのディスプレイ制御手段と、
さらに備える請求項４４記載の受信機。
【請求項５１】
前記アナログ処理手段は、前記デジタル化されたアナログＴＶ信号の輝度／色度分離を実行する、
請求項５０記載の受信機。
【請求項５２】
前記アナログ処理手段は、前記デジタル化されたアナログＴＶ信号の後処理を実行する、
請求項５０記載の受信機。
【請求項５３】
前記アナログ処理手段は、前記デジタル化されたアナログＴＶ信号の輝度／色度分離と後処理を実行する、
請求項５０記載の受信機。
【請求項５４】
前記システム及びビデオデコーダから出力された前記再構成されたデジタルＴＶ信号と、前記マイクロプロセッサから出力された処理されたアナログＴＶ信号のうちの１つを選択するためのスイッチ手段と、
前記スイッチ手段により選択された信号をディスプレイで表示するためのディスプレイ制御手段と、
をさらに備える請求項４４記載の受信機。
【請求項５５】
前記再構成されたデジタルＴＶ信号をアナログ信号に変換し、前記アナログ信号を前記スイッチ手段に供給するための変換手段をさらに備える、
請求項５４記載の受信機。
【請求項５６】
前記ディスプレイ制御手段は、前記スイッチ手段で選択された信号をアナログ信号に変換する、
請求項５４記載の受信機。
【請求項５７】
前記デジタル化されたアナログＴＶジョン信号を受信して記憶し、記憶装置から読み出されたデータを処理して、処理されたアナログＴＶ信号を出力するためのアナログ処理手段と、
前記システム及びビデオデコーダから出力された前記再構成されたデジタルＴＶ信号と、前記アナログ処理手段から出力された前記処理されたアナログＴＶ信号のうちの１つを選択するためのスイッチ手段と、
ディスプレイで前記スイッチ手段により選択された信号を表示するためのディスプレイ制御手段と、
をさらに備える請求項４４記載の受信機。
【請求項５８】
前記アナログ処理手段は、前記デジタル化されたアナログＴＶ信号の輝度／色度分離を実行する、
請求項５７記載の受信機。
【請求項５９】
前記アナログ処理手段は、前記デジタル化されたアナログＴＶ信号の後処理を実行する、
請求項５７記載の受信機。
【請求項６０】
前記アナログ処理手段は、前記デジタル化されたアナログＴＶ信号の輝度／色度分離と後処理を実行する、
請求項５７記載の受信機。
【請求項６１】
所定のアナログ放送方式によりアナログ処理されたＴＶ信号と所定のデジタル信号フォーマットによりデジタル処理されたＴＶ信号とを受信するための方法であって、
（ａ）ユーザにより選局されたチャネルがアナログ映像モードのＴＶチャネルであるか、デジタル映像モードのＴＶチャネルであるかを判定するためのモード選択信号を発生するステップと、
（ｂ）デジタル映像信号のデコード用の記憶装置に、前記モード選択信号に従って受信されたデジタルＴＶ信号を記憶するステップと、
（ｃ）前記デジタルＴＶ信号をデコードするステップと、
を備える方法。
【請求項６２】
所定のアナログ放送方式に従ってアナログ処理されたＴＶ信号と所定のデジタル信号フォーマットによりデジタル処理されたＴＶ信号とを受信するための方法であって、
（ａ）ユーザにより選局されたチャネルがアナログ映像モードのＴＶチャネルであるか、デジタル映像モードのＴＶチャネルであるかを判定するためのモード選択信号を発生するステップと、
（ｂ）デジタル映像信号のデコード用の記憶装置に、前記モード選択信号に従って受信されたアナログＴＶ信号を記憶するステップと、
（ｃ）前記記憶装置に記憶されているデータを読み出すステップと、
（ｄ）前記アナログ映像モードで、前記データを処理してデジタルＴＶ信号を発生するステップと、
を備える方法。
【請求項６３】
所定のアナログ放送方式に従ってアナログ処理されたＴＶ信号と所定のデジタル信号フォーマットによりデジタル処理されたＴＶ信号とを受信する方法であって、
（ａ）ユーザにより選局されたチャネルがアナログ映像モードのＴＶチャネルであるか、デジタル映像モードのＴＶチャネルであるかを判定するためのモード選択信号を発生するステップと、
（ｂ）デジタル映像信号のデコード用の記憶装置に、前記モード選択信号に従って受信されたデジタルＴＶ信号を記憶するステップと、
（ｃ）前記デジタル映像モードで、前記記憶装置に記憶されている前記受信されたデジタルＴＶ信号をデコードするステップと、
（ｄ）デジタル映像信号のデコード用の前記記憶装置に、受信されたアナログＴＶ信号を記憶するステップと、
（ｅ）前記アナログ映像モードで、前記記憶装置に記憶されているデータを読み出して、前記記憶装置におけるデータを処理するステップと、
を備える方法。
【発明の詳細な説明】
【技術分野】
【０００１】
本発明はアナログとデジタルビデオモードを有する受信器及びその受信方法に係り、特にアナログビデオモード時に、デジタルテレビジョン（以下、ＴＶと称する）信号処理のためのメモリを共有する受信器及びその受信方法に関する。
【背景技術】
【０００２】
デジタルビデオモードとは送信器（例えば放送局）でＭＰＥＧ（Moving  Picture  Experts  Group）標準によりデジタル処理されたＴＶ信号を受信することであり、アナログビデオモードとはＮＴＳＣ、ＰＡＬ、またはＳＥＣＡＭ等のような既存の放送方式によりアナログ処理された信号を受信することである。
【０００３】
ＭＰＥＧ−２により符号化されたビットストリームを復号化するセットトップボックス（SET-TOP-BOX:ＳＴＢ）またはＳＴＢを内蔵したデジタルＴＶ等が開発されているが既存のアナログビデオサービスも相当期間行われる見込である。
【０００４】
このような状況に対応するため、ＴＶ受信器はアナログとデジタルビデオモードの両方を採用することになった。アナログとデジタルビデオモードを有するＴＶ受信器は、デジタルＴＶ信号の復号化のために８−３２Ｍｂｉｔｓのメモリが要求されるが、アナログビデオモード時にはデジタルビデオ復号化のために具備された８−３２Ｍｂｉｔｓの大容量のメモリは使用されない。
【０００５】
一方、既存のアナログビデオモードを有する受信器は図１に示されたように、チューナ１１で送信器（図示せず）から伝送されるアナログＴＶチャネルの信号の中使用者が所望のＴＶチャネルの信号を選択して中間周波数（以下、ＩＦと称する）信号として出力する。
【０００６】
チャネル復調器１２ではチューナ１１で選択されたチャネルのＩＦ信号を増幅する（ここで、増幅された信号でビデオ信号とオーディオ信号を分離するが、簡略化のためにビデオ信号処理のみに対して図示及び説明される）。
【０００７】
輝度（Ｙ）／色（Ｃ）分離器１３ではチャネル復調器１２から出力されるビデオ信号からＹ信号とＣ信号を分離する。この際Ｙ／Ｃ分離はフレームメモリ１４に蓄積された前のフレームと現在のフレームとの相関度及び／又は現在のラインと隣接ラインとの相関度を利用する。分離された信号はフレームメモリ１４に蓄積されると共にディスプレイ接続部１５に入力される。
【０００８】
ディスプレイ接続部１５ではＹ／Ｃ分離器１３から出力されるＹとＣ信号をアナログＲ、Ｇ、Ｂ信号として変換した後、ディスプレイ１６に出力する。ここで、ディスプレイは一例として受像管である。
【０００９】
チューナ１１、チャネル復調器１２、Ｙ／Ｃ分離器１３はアナログＴＶ信号処理部１００に該当する。また、チャネル復調器１２の出力がフレームメモリ１４にデジタルデータとして蓄積されるためにはチャネル復調器１２の出力がデジタル信号形態に変換されるアナログ／デジタル（Ａ／Ｄ）変換器がさらに構成され、ディスプレイ接続部１５の出力がアナログ信号としてディスプレイ１６にディスプレイされるためにはディスプレイ接続部１５の出力がアナログ信号形態に変換するＤ／Ａ変換器が構成されうる。
【００１０】
一方、従来のアナログＴＶでコムフィルタ等を使用してＹ／Ｃ分離を行う場合、Ｙ／Ｃ分離が足りなくてクロスカラーまたはクロスルミナンス現象のような問題点が発生し、これを改善するために図１のようにフレームメモリ１４を具備して時々フレームコムフィルタリングとして知られる３次元Ｙ／Ｃ分離を行うことにより画質を改善させている。
【００１１】
また、さらに優秀な画質を得るためにＹ／Ｃ分離を行った後、後処理を行う場合にもフレームメモリが使用されうる。即ち、フレームメモリを利用して現在フレームと以前フレームとの相関度によりエッジ成分であるかを判別してエッジを強調する。
【００１２】
このように、画質を効果的に改善するための改善策の中多くの方法等が高容量のメモリを要求してメモリ使用に起因してコスト高となるので効果は最適でないが制限されたメモリのみで具現可能な方法等が使用された。
【００１３】
図２は従来のＭＰＥＧ−２に符号化されたＴＶ信号を受信するデジタルＴＶの概略的なブロック図である。図２において、チューナ２１ではアンテナを通して伝送されるＴＶ信号で所望のチャネルの信号を選択する。この際アンテナを通して伝送されるＴＶ信号はＭＰＥＧ−２のパケット構造で入力される。
【００１４】
即ち、ＭＰＥＧ−２フォーマットを見ると伝送路上のデータのシステム層は１８８バイト単位のパケットよりなる。付加的に、パケット構造は同期とサイド情報よりなるヘッダ情報とヘッダ情報を除いた他の領域にはビデオデータ、オーディオデータまたは使用者データ等が含まれている。ここで、ビデオデータはピクチャ間符号化またはピクチャ内符号化に圧縮されている。
【００１５】
ここで、ピクチャ間符号化によれば１つのＧＯＰ（通常１５個のピクチャで構成）単位中イントラピクチャに追従するプリディックティドピクチャ（predicted picture)と二方向プリディックティドピクチャは、符号化しようとするピクチャと符号化した他のピクチャ間の差のみを符号化する。
【００１６】
１つのＧＯＰ内には他の画面データなく独立的にコーディング可能なイントラ（Ｉ）ピクチャデータと、前のイントラピクチャデータやプリディックティドピクチャデータから隣接するピクチャの間の動き補償を利用してコーディング可能なプリディックティド（Ｐ）ピクチャデータと、前のイントラピクチャデータまたはプリディックティドピクチャデータと、追従するイントラピクチャデータまたはプリディックティドピクチャデータから動き補償を利用してコーディング可能な二方向プリディックティド（Ｂ）ピクチャデータを含む。
【００１７】
チャネル復調器２２はＱＰＳＫ復調器、リードーソロモン復号化器、ビタビ（Viterbi)復号化器等を具備してチューナ２１を通して伝送される所望のデジタルＴＶチャネルの信号をＭＰＥＧ−２ビットストリームに変換させる。
【００１８】
システムデコーダ２３はＭＰＥＧ−２ビットストリームをまたオーディオとビデオデータストリームとに分離する。ここで、オーディオデータストリームから出力されるオーディオ信号をデコーディングするオーディオデコーダとデコーディングされたオーディオ信号を信号処理するオーディオ信号処理部が含まれることが望ましいが、図１ではビデオ信号処理のみが説明される。
【００１９】
ビデオデコーダ２４ではシステムデコーダ２３から出力されるビデオデータストリームで可変長復号化する可変長復号器、可変長復号化されたデータを逆量子化する逆量子化器、ＩＤＣＴ（Inverse  Discrete  Cosine  Transform）動作を行うＩＤＣＴ動作器及び動き−予測データを計算するための動き補償器を含み、圧縮されたデータを本来のデータに復元してディスプレイ２７にディスプレイする。
【００２０】
ここで、ディスプレイ接続部２６は復元されたビデオデータをディスプレイ２７にディスプレイする前にアナログＲＧＢ信号に変換する過程を行う。
【００２１】
メモリ２５はビデオデコーダ２４で行われるデジタルビデオデータのビデオデコーディング（ソース−復号化とも称する）のために使用される。即ち、メモリ２５は、システムデコーダ２３から出力されるビデオデータストリームが固定されたビット率を有するので可変長復号化する前可変ビット率に変換するためのＶＢＶ（Video  Buffering  Verifier）バッファ（チャネルバッファとも称する）と、前のフレームデータから動きベクトルに相応する所定大きさのＤＣＴブロックを読出し、読出されたブロックデータと逆ＤＣＴデータを加算して動きを補償した後、ＰとＢピクチャを復元するためのフレームバッファ等を含む。従ってビデオデータストリームの復号化のためにメモリ２５は約８−３２Ｍｂｉｔｓのメモリがフレームバッファ等とＶＢＶバッファ用として必要となる。
【００２２】
ここで、チューナ２１、チャネル復調器２２、システムデコーダ２３、ビデオデコーダ２４はデジタルＴＶ信号処理部２００に該当する。また、デジタルＴＶ信号処理部２００とメモリ２５をＳＴＢと称する。
【００２３】
相当期間、ＮＴＳＣ、ＰＡＬのようなアナログＴＶサービスが存在し続けるので民生用のテレビシステムはアナログとデジタルビデオサービスの両方をディスプレイすべきである。次のような２つの方法が予測できる。
【００２４】
図３に示されたように、デジタルビデオサービスのための全ての処理をＳＴＢ２１０で行った後、復元された映像信号を既存のアナログＴＶ１１０のビデオ入力端子に印加してアナログＴＶ１１０でもデジタルビデオサービスができるように開発されている。
【００２５】
そして、図４に示されたように、ＴＶではデジタルＴＶ信号処理部２００とメモリ２５を具備してアナログビデオサービスとデジタルビデオサービスの両方できるように開発されている。
【００２６】
従って、図３及び図４に示されたように、アナログＴＶ信号処理においても、Ｙ／Ｃ分離または所定の画質改善のための後処理のためにフレームメモリを使用し、テレビがアナログビデオサービスのみを受信する時はデジタルビデオ復号化のための８−３２Ｍｂｉｔｓの膨大なメモリは使用されない。
【００２７】
デジタルビデオ復号化機能を内蔵したＴＶには必ず所定量のメモリ（８−３２Ｍｂｉｔｓ）が存在するが、デジタルビデオサービスを受けずアナログビデオサービスを受ける場合このデジタルビデオ復号化機能のための膨大なメモリは使用されないのでＴＶシステム内に既に存在する資源が使用できない問題点がある。
【発明の開示】
【発明が解決しようとする課題】
【００２８】
前記問題点を克服するための本発明の目的はアナログとデジタルモードを両方有する受信器において、アナログビデオモード時デジタルビデオ復号化のためのメモリをアナログＴＶ信号の処理のため共有する受信器を提供することにある。
【００２９】
本発明の他の目的はアナログビデオモード時デジタルビデオ復号化のためのメモリをアナログＴＶ信号の処理のため共有する受信方法を提供することにある。
【課題を解決するための手段】
【００３０】
前記目的を達成するための本発明の装置は、所定のアナログ放送方式によりアナログ処理されたＴＶ信号を受信するアナログ映像モードと所定のデジタル信号フォーマットによりデジタル処理されたＴＶ信号を受信するデジタル映像モードを有する受信器において、受信されるアナログＴＶ信号を信号処理する第１信号処理手段と、受信されるデジタルＴＶ信号を復号化する第２信号処理手段と、前記第２信号処理手段でデジタル化されたアナログＴＶ信号を処理するためデータを蓄積するメモリと、アナログ映像モードまたはデジタル映像モードを示すモード選択信号を発生する発生手段と、前記モード選択信号に応じてアナログ映像モード時には前記第１信号処理手段で処理された信号を前記メモリに書込及び読出すため、またデジタル映像モード時にはデジタルＴＶ信号を前記メモリに書込／読出すため使用されるように前記メモリを制御するメモリ制御手段とを含むことを特徴とする。
【００３１】
前記他の目的を達成するための本発明の方法は所定のアナログ放送方式によりアナログ処理されたＴＶ信号と所定のデジタル信号フォーマットによりデジタル処理されたＴＶ信号を受信する方法において、（ａ）使用者により選択されたチャネルがアナログ映像モードのＴＶチャネルかまたはデジタル映像モードのＴＶチャネルかを判断してモード選択信号を発生させる段階と、（ｂ）上記モード選択信号によりデジタル映像モード時には受信されるデジタルＴＶ信号をデジタル映像復号用メモリに蓄積し、前記メモリに蓄積されたデータを利用して復号化し、アナログ映像モード時には受信されるアナログＴＶ信号を前記デジタル映像復号化用のメモリに蓄積し、前記メモリに貯蔵されたデータを読出して処理する段階を含むことを特徴とする。
【発明の効果】
【００３２】
本発明はアナログビデオサービスとデジタルビデオサービスを両方受信する受信機において、アナログＴＶチャネル受信時、アナログＴＶ信号処理中必要なフレームメモリをデジタルビデオ復号化のため具備した大容量のメモリを利用することによりデジタルビデオ復号用メモリの効率性を高め、システムのコストを低める効果がある。
【発明を実施するための最良の形態】
【００３３】
以下、添付の図面に基づき本発明によるアナログとデジタルビデオモードを有する受信器及びその受信方法の望ましい実施例を説明する。
【００３４】
図５は本発明によるアナログとデジタルビデオモードを有する受信器の一実施例による概念的ブロック図である。図５において、アナログＴＶ信号処理部１００とデジタルＴＶ信号処理部２００の構成と動作は図１及び図２で説明した構成及び動作と同じなのでここでは説明しない。
【００３５】
制御部３１０は入力されたチャネルキーが既存のアナログ放送方式により信号処理されたＴＶチャネル（以下、アナログＴＶチャネルと称する）またはＭＰＥＧ−２でデジタル符号化されたＴＶチャネル（以下、デジタルＴＶチャネルと称する）かを判定してアナログビデオモードまたはデジタルビデオモードを示すモード選択信号を出力する。
【００３６】
メモリ制御部３２０はモード選択信号によりアナログＴＶ信号処理部１００及びデジタルＴＶ信号処理部２００で処理された出力の中１つを選択してメモリ３３０に書込んだり、またはメモリ３３０に蓄積されたデータを読出してアナログＴＶ信号処理部１００またはデジタルＴＶ信号処理部２００に供給する。
【００３７】
アナログビデオモード時アナログＴＶ信号処理部１００で処理された信号がマルチプレクサ３４０及びディスプレイ接続部３５０を通してディスプレイ３６０にディスプレイされ、デジタルビデオモード時デジタルＴＶ信号処理部２００から処理された信号がマルチプレクサ３４０及びディスプレイ接続部３５０を通してディスプレイ３６０にディスプレイされる。
【００３８】
ここで、マルチプレクサ３４０は制御部３１０から出力されるモード選択信号により選択された映像信号をディスプレイ接続部３５０に供給する。
【００３９】
メモリ３３０はアナログビデオモード時には図１に基づき前述したようにＹ／Ｃ分離と後処理のためのフレームメモリ（またはフィールドメモリ）で使用され、デジタルビデオモード時には図２に基づき前述したように、固定ビット率の伝送率を変換するＶＢＶバッファと動き補償のためのフレームバッファとして使用される。
【００４０】
図６は図５に示されたメモリ制御部３２０の詳細図である。図６では便宜上メモリ入／出力ラインが１つに示されているが、実際の具現はそれぞれの入／出力ラインに対して構成されうる。ここで、入／出力ラインはメモリ３３０にデータを読出したり書込むため使用されるデータライン、アドレスライン、そしてイネーブルのようなメモリ制御ライン等を通称する。
【００４１】
メモリ制御部３２０はスイッチング役割をする複数個のマルチプレクサ３２０．１−３２０．ｎで構成でき、各マルチプレクサの第１入力端子ａ1 −ａn は図５に示されたデジタルＴＶ信号処理部２００の入／出力ラインと連結されていて、第２入力端子ｃ1−ｃnは図５に示されたアナログＴＶ信号処理部１００の入／出力ラインと連結されていて、固定端子ｂ1−ｂnは図５に示されたメモリ３３０の入／出力ラインと連結されている。
【００４２】
従って、各マルチプレクサ３２０．１−３２０．ｎは図５に示された制御部３１０から出力されるモード選択信号がアナログビデオモードを示す場合Ｙ／Ｃ分離及び後処理用のフレームバッファとして使用するためにメモリ３３０の入／出力ラインをアナログＴＶ信号処理部１００の入／出力ラインと連結させる。反対に各マルチプレクサ３２０．１−３２０．ｎはモード選択信号がデジタルビデオモードを示す場合、メモリ３３０を固定ビット率の伝送率を変換するＶＢＶバッファと動き補償のためのフレームバッファとして使用するためにメモリ部３３０の入／出力ラインをデジタルＴＶ信号処理部２００の入／出力ラインと連結させる。
【００４３】
一方、アナログとデジタルビデオモード時バス制御方式を利用してメモリを共有する受信器は図７に示されている。バス制御方式とは制御部（マイクロコンピュータ）のデータ出力端等とクロック出力端に連結される二方向データ伝送の可能なデータラインとクロックラインよりなる２つの共用バスラインを通して機能制御ユニット等が制御部４１０と連結されていて、制御部でアドレスとデータを２つの共用バスラインを通して伝送し、伝送されるアドレスは与えられた機能ユニットの固有アドレスに該当し、機能制御ユニットは伝送されたデータにより機能を行う方式を称し、このバス制御方式がＴＶに導入されることにより制御部の制御負担が減り、信号処理時間が短くなった。
【００４４】
図７において、制御部４１０では入力されたチャネルキーがアナログＴＶチャネルかまたはデジタルＴＶチャネルかを判断する。制御部４１０は選択されたチャネルがアナログＴＶチャネルならアナログビデオモードに対したモード選択データをデータラインを通してアナログＴＶ信号処理部１００及びメモリ４２０に伝送し、アナログＴＶ信号処理部１００及びメモリ４２０を動作させる。
【００４５】
また、制御部４１０は選択されたチャネルがデジタルＴＶチャネルならデジタルビデオモードに対したモード選択データをデータラインを通してデジタルＴＶ信号処理部２００及びメモリ４２０に伝送し、デジタルＴＶ信号処理部２００及びメモリ４２０を動作させる。
【００４６】
アナログビデオモードが選択される時、このメモリ４２０をＹ／Ｃ分離及び後処理のためのフレームメモリとして使用するため、アナログＴＶ信号処理部１００で処理された現在のフレームデータはデータラインを通してメモリ４２０に書込まれ、メモリ４２０に蓄積された前のフレームデータはデータラインを通してアナログＴＶ信号処理部１００に伝送される。また、メモリ４２０はデジタルビデオモードが選択される時固定ビット率の伝送率を可変ビット率に変換するＶＢＶバッファと動き補償のためのフレームバッファとして使用するためにデジタルＴＶ信号処理部２００で処理されたデータはデータラインを通してメモリ４２０に書込まれ、メモリ４２０に蓄積された前のデータはデータラインを通してデジタルＴＶ信号処理部２００に伝送される。
【００４７】
制御部４１０から出力されるモード選択信号によりアナログＴＶ信号処理部１００及びデジタルＴＶ信号処理部２００で処理された信号はマルチプレクサ４３０により切換られた後、ディスプレイ接続部４４０を通してディスプレイ４５０に表示される。
【００４８】
図８は本発明の第３実施例によるアナログとデジタルビデオモードを有する受信器に関したブロック図である。ここでは、図５でハードウェアで構成されたメモリ制御部に対した機能、即ちモード選択信号によりアナログ信号処理部１００またはデジタル信号処理部２００を選択する機能がプログラム化されていて、メモリ５１９はデジタルビデオ復号化と、Ｙ／Ｃ分離及び後処理のようなアナログＴＶ信号処理のために交番的に使用される。
【００４９】
また、デジタルビデオ復号化機能を行うマイクロプロセッサ５１８でアナログビデオモード時Ｙ／Ｃ分離及び後処理を行うことによりメモリ５１９を共有可能になっている。
【００５０】
図８において、第１チューナ５１１ではアナログＴＶチャネル受信用アンテナを通して伝送されるアナログＴＶチャネルの信号で使用者の希望するチャネルの信号のみを選択してＩＦ信号として出力する。
【００５１】
第１チャネル復調器５１２では第１チューナ５１１で選択されたチャネルのＩＦ信号を増幅してビデオ信号を出力する。Ａ／Ｄ変換器５１３では第１チャネル復調器５１２から出力されるビデオ信号をデジタル信号形に変換する。
【００５２】
一方、第２チューナ５１４ではデジタルＴＶチャネル受信用アンテナを通して伝送されるＭＰＥＧ−２に符号化されたデジタルＴＶ信号で所望のチャネルの信号を選択する。
【００５３】
第２チャネル復調器５１５では第２チューナ５１４を通して出力される所望のデジタルＴＶチャネルの信号をＭＰＥＧ−２ビットストリームで出力する。
【００５４】
システムデコーダ５１６ではＭＰＥＧ−２ビットストリームから再びビデオデータストリームのみを抽出する。
【００５５】
制御部５１７では入力されたチャネルキーがアナログＴＶチャネルまたはデジタルＴＶチャネルかを判断してアナログビデオモードまたはデジタルビデオモードを示すモード選択信号を出力する。
【００５６】
マイクロプロセッサ５１８ではモード選択信号を判断して第１入力ポートに連結されたＡ／Ｄ変換器５１３の出力を選択したり、第２入力ポートに連結されたシステムデコーダ５１６の出力を選択する。即ち、マイクロプロセッサ５１８ではアナログビデオモード時、Ａ／Ｄ変換器５１３から出力されるデジタル化されたアナログＴＶチャネル信号を選択して所定のプログラム命令等（例えばread  from  address  XXXX、write  to  address  XXX）を利用してメモリ５１９に書込んだり、メモリ５１９から読出してＹ／Ｃ分離及び後処理をすることになる。この際、メモリ５１９はＹ／Ｃ分離と後処理のためのフレームメモリとして使用される。
【００５７】
また、マイクロプロセッサ５１８ではデジタルビデオモード時システムデコーダ５１６から出力されるビデオデータストリームを所定のプログラム命令等（例えばread  from  address  YYYY、write  to  address  YYY）を利用してメモリ５１９に書込んだり、メモリ５１９から読出してビデオ復号化する。このビデオ復号化は可変長復号化、逆量子化、逆ＤＣＴ変換等を含む。この際、メモリ５１９は固定ビット率の伝送率を変換するＶＢＶバッファと動き補償のためのフレームバッファとして使用される。
【００５８】
図８のように、マイクロプロセッサ５１８の第１及び第２入力ポートを用いて信号を入力されること以外にマイクロプロセッサ５１８の１つの入力ポートのみを使用するため、入力ポートの前にマルチプレクサを連結して２つの入力間切換を行うように具現しうる。このような変形には図９乃至図１１、図１２乃至図１６の実施例にも同様に適用されうる。
【００５９】
一方、ディスプレイ接続部５２０ではマイクロプロセッサ５１８から出力されるデジタルデータをアナログ信号形に変換し、アナログＲ、Ｇ、Ｂ信号としてディスプレイ５２１にディスプレイする。このディスプレイ接続部は信号変換器とも言われる。
【００６０】
ここで、演算速度の非常に速い一種のマイクロプロセッサ５１８を使用しても高速度を要求する逆ＤＣＴ変換のように、特定の機能のみはハードウェアで具現されうる。
【００６１】
図９乃至図１１は図８に示された第３実施例の各変形例等を示し、図８に示された同一な構成に対しては同一な符号を付し、その詳細な動作説明は省略することにする。
【００６２】
図９に示されたマイクロプロセッサ５２２はアナログビデオモード時Ａ／Ｄ変換器５１３から出力されるデジタル化されたアナログＴＶチャネル信号を入力して図８で説明されたようにメモリ５１９を用いてＹ／Ｃ分離及び後処理を行う。
【００６３】
また、マイクロプロセッサ５２２はデジタルビデオモード時、第２チャネル復調器５１５からＭＰＥＧ−２ビットストリームを入力され制御部５１７の制御下でＭＰＥＧ−２ビットストリームからビデオデータストリームを選択抽出した後、ビデオデコーダ５２３に出力する。ビデオデコーダ５２３では抽出されたビデオデータストリームをビデオデータに復元する。
【００６４】
この際、マイクロプロセッサ５２２はビデオデコーダ５２３に必要なＶＢＶバッファ、フレームバッファ及びディスプレイバッファとしてメモリ５１９を使用しうるようにメモリ接続経路を提供する。
【００６５】
マルチプレクサ５２４は制御部５１７からのモード選択信号によりマイクロプロセッサ５２２から出力されるデジタル化されたアナログ信号またはビデオデコーダ５２３で復元されたビデオデータを選択して選択された信号をディスプレイ接続部５２０に供給する。
【００６６】
図１０に示されたマイクロプロセッサ５２５はアナログビデオモード時（図９で説明したように）、Ｙ／Ｃ分離及び後処理を行い、デジタルビデオモード時にはＭＰＥＧ−２システムデコーディング及びビデオデコーディングを行う。即ち、デジタルビデオモードの場合、第２チャネル復調器５１５からＭＰＥＧ−２ビットストリームを入力されビデオデータストリームを抽出した後、抽出されたビデオデータストリームからビデオデータを復元するまでにマイクロプロセッサ５２５により行う。
【００６７】
図１１に示されたマイクロプロセッサ５２７はアナログビデオモード時とデジタルビデオモード時との各場合にメモリ５１９を共有しうるようにするメモリ制御機能及びアナログモード時には図９及び図１０で説明したようにＹ／Ｃ分離及び後処理を行う。
【００６８】
一方、デジタルビデオモード時にはＭＰＥＧ−２システムデコーディング及びビデオデコーディングはシステム及びビデオデコーダ５２６により行われる。そしてマルチプレクサ５２８は制御部５１７からのモード選択信号によりマイクロプロセッサ５２７から出力されるデジタル化されたアナログ信号またはシステム及びビデオデコーダ５２６から出力される復元されたビデオデータを選択して選択された信号をディスプレイ接続部５２０に供給する。
【００６９】
図１２は本発明の第４実施例によるアナログとデジタルビデオモードを有する受信器のブロック図であって、図８と同一な構成の第１チューナ６１１、第１チャネル復調器６１２、第２チューナ６１４、第２チャネル復調器６１５とシステムデコーダ６１６、ディスプレイ接続部６２０とディスプレイ６２１の詳細な動作は略する。
【００７０】
図８に示された第３実施例ではメモリ制御機能がマイクロプロセッサ５１８にプログラム化されている反面、第４実施例では３−Ｄ（dimensional)Ｙ／Ｃ分離または後処理のようなアナログ処理はマイクロプロセッサ６１８の外部に分離されたアナログ処理器６１３で行われる。アナログ処理器６１３の詳しい構成は図１３に示されたようにＡ／Ｄ変換器７０１、アナログＴＶ信号処理器７０２及びＤ／Ａ変換器７０３となっている。
【００７１】
Ａ／Ｄ変換器７０１で図１２の第１チャネル復調器６１２から出力されるチャネル復調された信号をデジタルデータに変換する。このデジタルデータはアナログＴＶ信号処理器７０２に入力された後、メモリ制御器として動作するマイクロプロセッサ６１８を通してメモリ６１９に蓄積される。メモリ６１９に蓄積されたアナログＴＶ信号はＹ／Ｃ分離または後処理のためアナログＴＶ信号処理器７０２により使用される。アナログＴＶ信号処理器７０２で処理された出力は読出される前にメモリ６１９に一時的に蓄積され、Ｄ／Ａ変換器７０３でアナログ信号に変換される。
【００７２】
一方、デジタルビデオサービスの場合、ＭＰＥＧ−２ビットストリームはシステムデコーダ６１６でビデオデータストリームに復号化され、このビデオデータストリームはマイクロプロセッサ６１８によりビデオデータに復元される。復元されたデータはＤ／Ａ変換器６２３でアナログ信号に変換される。
【００７３】
チャネルキー入力によりモードを認識する制御部６１７から出力されるモード選択信号によりマルチプレクサ６２２はアナログ処理器６１３で処理されたアナログＴＶ信号またはＤ／Ａ変換器６２３から出力されるアナログビデオ信号を選択する。
【００７４】
この際、図１２のディスプレイ接続部６２０はアナログ信号に変換されたデータを受入れＲ、Ｇ、Ｂ信号に変換してディスプレイ６２１に出力する。この変形例として、ディスプレイ接続部６２０はアナログ処理器６１３の構成要素の中１つのデジタル／アナログ変換器７０３及びデジタル／アナログ変換器６２３が通じ合われた形で内部に具現しうるが、この際、マルチプレクサ６２２はデジタル信号を入力してアナログ信号に変換した後アナログＲ、Ｇ、Ｂ信号でディスプレイ６２１に出力する。このような変形例には図１４、図１５及び図１６にも適用される。
【００７５】
一方、図１２の実施例はマイクロプロセッサ６１８を使用してソフトウェアによりＭＰＥＧ復号化を具現する程度に依存して多少変形されうる。
【００７６】
図１４乃至図１６は図１２に示された第４実施例の変形例等であって、図１２に示された同一な構成に対しては同一な符号を付し、その詳細な動作説明は略する。図１４に示されたマイクロプロセッサ８０１はメモリ６１９の制御のみを行う。ＭＰＥＧ−２ビットストリーム復号化とビデオデータストリーム復号化はマイクロプロセッサ８０１の外部にあるシステム及びビデオデコーダ８０２により行われる。
【００７７】
図１５に示されたマイクロプロセッサ８０３はＭＰＥＧ−２ビットストリーム復号化とビデオデータストリームの復号化を全て行う。
【００７８】
図１６に示されたマイクロプロセッサ８０４はＭＰＥＧ−２ビットストリーム復号化を行うが、ビデオデータストリーム復号化はマイクロプロセッサ８０４の外部にあるビデオデコーダ８０５により行われる。
【図面の簡単な説明】
【００７９】
【図１】従来のアナログＴＶのブロック図である。
【図２】従来のデジタルＴＶのブロック図である。
【図３】ＳＴＢを具備した従来のアナログＴＶの概略図である。
【図４】従来のアナログビデオモードを有するデジタルＴＶの概略図である。
【図５】本発明によるアナログとデジタルビデオモードを有する受信器の一実施例による概念的ブロック図である。
【図６】図５に示されたメモリ制御部の詳細図である。
【図７】本発明によるアナログとデジタルビデオモードを有する受信器の第２実施例によるブロック図である。
【図８】本発明によるアナログとデジタルビデオモードを有する受信器の第３実施例によるブロック図である。
【図９】図８に示された第３実施例の変形例である。
【図１０】図８の第３実施例の他の変形例である。
【図１１】図８の第３実施例の更に他の変形例である。
【図１２】本発明によるアナログとデジタルビデオモードを有する受信器の第４実施例によるブロック図である。
【図１３】図１２に示されたアナログ処理器の詳細ブロック図である。
【図１４】図１０に示された第４実施例の変形例である。
【図１５】図１０の第４実施例の他の変形例である。
【図１６】図１０の第４実施例の更に他の変形例である。
【符号の説明】
【００８０】
１００：アナログテレビ信号処理部
２００：デジタルテレビ信号処理部
３１０：制御部
３２０：メモリ制御部
３３０：メモリ
３５０：ディスプレイ接続部
３６０：ディスプレイ
４１０：制御部
４２０：メモリ
４４０：ディスプレイ接続部
４５０：ディスプレイ
５１１：第１チューナ
５１２：第１チャネル復調器
５１３：Ａ／Ｄ変換器
５１４：第２チューナ
５１５：第２チャネル復調器
５１６：システムデコーダ
５１７：制御部
５１８：マイクロプロセッサ
５１９：メモリ
５２０：ディスプレイ接続部
５２１：ディスプレイ
５２２：マイクロプロセッサ
５２３：ビデオデコーダ
５２５：マイクロプロセッサ
５２６：システム及びビデオデコーダ
５２７：マイクロプロセッサ
６１１：第１チューナ
６１２：第１チャネル復調器
６１３：アナログ処理器
６１４：第２チューナ
６１５：第２チャネル復調器
６１６：システムデコーダ
６１７：制御部
６１８：マイクロプロセッサ
６１９：メモリ
６２０：ディスプレイ接続部
６２１：ディスプレイ
６２３：Ｄ／Ａ変換器
７０１：Ａ／Ｄ変換器
７０２：アナログＴＶ信号処理器
７０３：Ｄ／Ａ変換器
８０１：マイクロプロセッサ
８０２：システム及びビデオデコーダ
８０３：マイクロプロセッサ
８０４：マイクロプロセッサ
８０５：ビデオデコーダ
【図１】
2004201339.tif 000003
【図２】
2004201339.tif 000004
【図３】
2004201339.tif 000005
【図４】
2004201339.tif 000006
【図５】
2004201339.tif 000007
【図６】
2004201339.tif 000008
【図７】
2004201339.tif 000009
【図８】
2004201339.tif 000010
【図９】
2004201339.tif 000011
【図１０】
2004201339.tif 000012
【図１１】
2004201339.tif 000013
【図１２】
2004201339.tif 000014
【図１３】
2004201339.tif 000015
【図１４】
2004201339.tif 000016
【図１５】
2004201339.tif 000017
【図１６】
2004201339.tif 000018